(57)【要約】      （修正有）【課題】携帯式電子装置１がユーザに使用されず置いたままの状態においても、吸着手段で携帯式電子装置１を直接に磁気吸着板２に位置決めし、携帯式電子装置１を簡易に収納し、家電製品の使用視覚感を向上させる装置を提供する。【解決手段】携帯式電子装置１と、壁面または電器用品のケースに設けられた磁気吸着板２において、携帯式電子装置１は、少なくとも一つの第一磁気吸着素子１１を設置し、磁気吸着板２は、少なくとも一つの第二磁気吸着素子２１を設置し、第二磁気吸着素子２１と第一磁気吸着素子１１とが互いに磁気的に吸引されることで、携帯式電子装置１は磁気吸着板２に磁気的に吸着し位置決められる。【選択図】図１
0003150346.tif 000002
【実用新案登録請求の範囲】
【請求項１】
第二磁気吸着素子を有し壁面または電器用品のケースに設けられた磁気吸着板に磁気的に吸着し位置決められる携帯式電子装置において、少なくとも一つの第一磁気吸着素子を設置し、前記第一磁気吸着素子と前記第二磁気吸着素子とが互いに磁気的に吸引され、前記携帯式電子装置は前記磁気吸着板に吸着し位置決められたことを特徴とする携帯式電子装置。
【請求項２】
前記第一磁気吸着素子は、磁石または金属であり、前記第二磁気吸着素子は、前記第一磁気吸着素子に対応して互いに磁気的に吸引される磁石または金属であることを特徴とする請求項１に記載の携帯式電子装置。
【請求項３】
壁面または電器用品のケースに設けられ、第一磁気吸着素子を有する携帯式電子装置を磁気手段で吸着し固定する磁気吸着板において、少なくとも第二磁気吸着素子を設置し、前記第一磁気吸着素子と前記第二磁気吸着素子は互いに磁気的に吸引し吸着され、前記携帯式電子装置は前記磁気吸着板に吸着し位置決められることを特徴とする磁気吸着板。
【請求項４】
前記第二磁気吸着素子は、磁石または金属であり、前記第二磁気吸着素子は、前記第一磁気吸着素子に対応して互いに磁気的に吸引される磁石または金属であることを特徴とする請求項３に記載の磁気吸着板。
【請求項５】
前記第二磁気吸着素子は複数設けられ、かつ前記第二磁気吸着素子は「米」字状に配列されることを特徴とする請求項３または４に記載の磁気吸着板。
【請求項６】
前記磁気吸着板の後端面に接着部材が設けられ、前記接着部材は、前記壁面及び前記電器用品の前記ケースに接着して結合されることを特徴とする請求項３ないし５のいずれかに記載の磁気吸着板。
【請求項７】
前記接着部材は、接着テープであることを特徴とする請求項６に記載の磁気吸着板。
【請求項８】
前記磁気吸着板の先端面に、第二磁気吸着素子を囲むように蛍光塗料が配置されることを特徴とする請求項３ないし７のいずれかに記載の磁気吸着板。
【請求項９】
壁面または電器用品のケースに設けられた磁気吸着板と、前記磁気吸着板に磁気的に吸着し位置決められる携帯式電子装置とを備える電子機器において、
前記携帯式電子装置は少なくとも一つの第一磁気吸着素子を設置し、前記磁気吸着板は少なくとも一つの第二磁気吸着素子を設置し、
前記第二磁気吸着素子と前記第一磁気吸着素子とが互いに磁気的に吸引され、前記携帯式電子装置は前記磁気吸着板に吸着し位置決められることを特徴とする電子機器。
【請求項１０】
前記第一磁気吸着素子と前記第二磁気吸着素子は、互いに磁気的に吸引される磁石であることを特徴とする請求項９に記載の電子機器。
【請求項１１】
前記第一磁気吸着素子は磁石であり、前記第二磁気吸着素子は、前記第一磁気吸着素子に磁気的に吸引される金属であることを特徴とする請求項９に記載の電子機器。
【請求項１２】
前記第二磁気吸着素子は磁石であり、前記第一磁気吸着素子は、前記第二磁気吸着素子に磁気的に吸引される金属であることを特徴とする請求項９に記載の電子機器。
【請求項１３】
前記第二磁気吸着素子は複数設けられ、かつ前記第二磁気吸着素子は「米」字状に配列されることを特徴とする請求項９ないし１２のいずれかに記載の電子機器。
【請求項１４】
前記磁気吸着板の後端面に接着部材が設けられ、前記接着部材は、前記壁面及び前記電器用品の前記ケースに接着して結合されることを特徴とする請求項９ないし１３のいずれかに記載の電子機器。
【請求項１５】
前記接着部材は、接着テープであることを特徴とする請求項１４に記載の電子機器。
【請求項１６】
前記磁気吸着板の先端面に、第二磁気吸着素子を囲むように蛍光塗料が配置されることを特徴とする請求項９ないし１５のいずれかに記載の電子機器。
【請求項１７】
前記携帯式電子装置は、第一発光素子及び前記第一発光素子に電気的に接続する第一電磁変換手段を設置し、前記磁気吸着板の先端面に、第二発光素子及び前記第二発光素子に電気的に接続する第二電磁変換手段が設けられることを特徴とする請求項９ないし１６のいずれかに記載の電子機器。
【請求項１８】
前記第一発光素子及び前記第二発光素子は、発光ダイオードであり、前記第二発光素子は、前記第二磁気吸着素子を囲んで前記磁気吸着板の先端面に設けられることを特徴とする請求項１７に記載の電子機器。
【請求項１９】
前記携帯式電子装置は、第一端子組及び前記第一端子組に接続する電池を有し、前記磁気吸着板は第二端子組を有し、前記第一端子組は前記第二端子組に電気的に接続しかつ前記携帯式電子装置の電池を充電することを特徴とする請求項９ないし１８のいずれかに記載の電子機器。
【請求項２０】
前記携帯式電子装置はリモコン、無線電話またはデジタルカメラのいずれかであることを特徴とする請求項９ないし１９のいずれかに記載の電子機器。
【考案の詳細な説明】
【技術分野】
【０００１】
本考案は、携帯式電子装置及びその磁気吸着板に係り、特に、置いたままの状態で携帯式電子装置を磁気吸着板に位置決めて設けさせる携帯式電子装置及び磁気吸着板に関わるものである。また、本考案は、携帯式電子装置及びその磁気吸着板を備える電子機器に関する。
【背景技術】
【０００２】
携帯式電子装置（例えば、リモコンや、無線電話及び他の電子装置）の誕生以来、現代の人々のライフスタイルが大幅に改善されてきた。リモコンは、通常、無線方式で家電用品（例えば、テレビやエアコンなど）のスイッチ及び関連機能の調節を制御し、無線電話は、ユーザが随時あらゆる場所で通信できるように機能を与え、その便利性で人々は該製品に大きく依存する。したがって、現在のマーケットにおいて、携帯式電子装置は、消費者の日用品の必要品の一つとなっている。
【０００３】
初期の家電用品市場では、消費者は、電器製品に対して機能が高く、使用寿命が長く及び低い故障率などの条件を求めていたが、社会の発展に伴い、飽食の現代社会では、人々は、さらに、電器製品に対して実用性の他に、同時に収納の便利さ及び視覚的効果の高さなどを求めるようになってきた。
【０００４】
従来の携帯式電子装置は、ユーザが使用終了後に常にテーブルやソーファの上に任意に置かれるが、このような使用実態は、以下の欠点を招くこととなる。
１、任意に置かれる携帯式電子装置は、しばしば、不意に落されたりまたは衝撃を与えられることがあり、携帯式電子装置は、精密な電子装置であるため、不当な外力で衝撃を与えられた後に、故障が発生したりして使用できなくなる場合がある。
２、現在の多くの家電製品は、いずれも携帯式電子装置を配備し、多くの携帯式電子装置は正確に収納、整理されない状態で、乱雑に置かれ、好ましくない視覚感を生じてしまう。
【０００５】
そのため、本考案者は、上記欠点が改良できるのを感心して、長年以来この領域で積み立てた経験により、熱心な観察かつ研究をし、さらに学術理論の運用に合せ、設計が合理的で前記問題を有効に改善できる本考案を提案した。
【考案の概要】
【考案が解決しようとする課題】
【０００６】
本考案は、携帯式電子装置がユーザに使用されず置かれたままの時に、吸着手段で携帯式電子装置を直接に磁気吸着板に位置決めし、ユーザに携帯式電子装置を簡易に収納させ、家電製品の使用視覚感を向上できる携帯式電子装置及びその磁気吸着板、さらにはそれらを備える電子機器を提供することを主な目的とする。
【課題を解決するための手段】
【０００７】
前記目的を達成するため、本考案にかかる携帯式電子装置は、第二磁気吸着素子を有し壁面または電器用品のケースに設けられた磁気吸着板に磁気的に吸着し位置決められる携帯式電子装置において、少なくとも一つの第一磁気吸着素子を設置し、前記第一磁気吸着素子と前記第二磁気吸着素子とが互いに磁気的に吸引され、前記携帯式電子装置は前記磁気吸着板に吸着し位置決められたことを特徴とする。
【０００８】
前記目的を達成するため、さらに、本考案にかかる磁気吸着板は、壁面または電器用品のケースに設けられ、第一磁気吸着素子を有する携帯式電子装置を磁気手段で吸着し固定する磁気吸着板において、少なくとも第二磁気吸着素子を設置し、前記第一磁気吸着素子と前記第二磁気吸着素子は互いに磁気的に吸引し吸着され、前記携帯式電子装置は前記磁気吸着板に吸着し位置決められることを特徴とする。
【０００９】
前記目的を達成するため、さらに、本考案にかかる電子機器は、磁気吸着板が壁面または電器用品のケースに設けられ、少なくとも一つの第一磁気吸着素子を設置する携帯式電子装置と、少なくとも一つの第二磁気吸着素子を設置する磁気吸着板とを含み、前記第二磁気吸着素子と前記第一磁気吸着素子とが互いに磁気的に吸引され、前記携帯式電子装置は前記磁気吸着板に吸着し位置決められることを特徴とする。
【考案の効果】
【００１０】
本考案は、以下の有利な効果がある。前記携帯式電子装置の第一磁気吸着素子と前記磁気吸着板の第二磁気吸着素子とが互いに吸引される磁気的吸引力の作用によって、携帯式電子装置を収納固定するための安定な場所を提供し、携帯式電子装置が任意に置かれて落されたり衝撃を与えられたりすることなどが発生する場合を有効に避けられる。
【００１１】
携帯式電子装置がユーザに使用されず置かれたままの状態においても、吸着手段で携帯式電子装置を直接に磁気吸着板に位置決めし、乱雑に置かれるような現象が発生しないように携帯式電子装置を簡易に収納し、家電製品の使用視覚感を有効に向上できる。
【００１２】
本考案の特徴及び技術内容は、以下に本考案に関する詳しい説明及び添付図面を参照することにより、深く且つ具体的な理解を得られるが、それらの添付図面が参考及び説明のみに使われ、本考案の主張範囲を狭義的に局限するものではないことは言うまでもないことである。
【図面の簡単な説明】
【００１３】
【図１】図１は、本考案に係る携帯式電子装置及びその磁気吸着板を示す斜視図である。
【図２】図２は、本考案に係る磁気吸着板が壁面に貼り付けることを示す図である。
【図３】図３は、本考案に係る携帯式電子装置が磁気吸着板に位置決められることを示す斜視図である。
【図４】図４は、本考案に係る磁気吸着板に蛍光塗料を配置したことを示す図である。
【図５】図５は、本考案に係る磁気吸着板が電器用品のケースに内蔵されたことを示す斜視図である。
【図６】図６は、本考案に係る磁気吸着板が電器用品のケース表面に設置されたことを示す斜視図である。
【図７】図７は、本考案に係る磁気吸着板の第二発光素子の発光を示す図である。
【図８】図８は、本考案に係る携帯式電子装置の第一発光素子の発光を示す図である。
【図９】図９は、本考案に係る携帯式電子装置及び磁気吸着板にさらに第一端子組及び第二端子組を設置したことを示す図である。
【考案を実施するための形態】
【００１４】
図１及び図６に示すように、本考案の携帯式電子装置及びその磁気吸着板は、携帯式電子装置１及び磁気吸着板２を含む。また、本考案の電子機器は、携帯式電子装置およびその磁気吸着板を備える。
【００１５】
図１に示すように、携帯式電子装置１は少なくとも第一磁気吸着素子１１を設置し、第一磁気吸着素子１１は、磁石または磁石に吸着できる金属材であり、第一磁気吸着素子１１は、携帯式電子装置１内の適当な位置に内蔵され、或いは携帯式電子装置１の表面（図略）に設けられても良い。
【００１６】
磁気吸着板２は、シート状構造体であり、その面積が携帯式電子装置１の面積より大きい。磁気吸着板２は、少なくとも一つの第二磁気吸着素子２１を設置し、第二磁気吸着素子２１は、第一磁気吸着素子１１に対応して互いに磁気的に吸引される磁石または金属であり、第二磁気吸着素子２１と第一磁気吸着素子１１とは互いに磁気的に吸引して吸着することができる。
【００１７】
第一磁気吸着素子１１及び第二磁気吸着素子２１は、互いに磁気的に吸引される磁石であってもよく、或いは一方は磁石で他方は金属であっても良い。言い換えれば、第一磁気吸着素子１１が第二磁気吸着素子２１に吸着されるように発生できるあらゆる設置方式であれば、いずれも、本考案の同等な変化と見なされる。
【００１８】
第二磁気吸着素子２１は複数設けられ、かつ第二磁気吸着素子２１の幾何外形は、長尺状構造体である。これらの第二磁気吸着素子２１は、磁気吸着板２上に「米」字状に配列され、このように、磁石または金属材を最も節約できる前提で、最大の吸引面積を生じることができる。
【００１９】
図２に示すように、磁気吸着板２は壁面３に貼り付けられて固定され、磁気吸着板２の後端面に接着部材２２が設けられ、接着部材２２は、例えば磁気吸着板２を壁面３に安定に接着させる接着テープである。
【００２０】
図３に示すように、第一磁気吸着素子１１と第二磁気吸着素子２１との間の磁気的吸引力の作用によって、携帯式電子装置１が磁気吸着板２に安定に吸着して位置決められ、これらの第二磁気吸着素子２１は、「米」字状に並んで、より大きな磁気吸引面積をなしているので、ユーザは、所定の部位にわざわざ位置合わせをする必要はなく、携帯式電子装置１を磁気吸着板２に安定に吸着させることが容易である。
【００２１】
図４に示すように、本考案は、磁気吸着板２に蛍光塗料２３を配置しても良く、暗闇中で電力消費されない条件の下で自己的に発光できる。蛍光塗料２３は、磁気吸着板２の先端（先端面）に塗布されかつこれらの磁気吸着板２が形成した磁気吸引面積を囲む。このように、蛍光塗料２３が暗闇中で発光すると、発光の方形枠を形成し、該方形枠内は磁気吸引作用のある領域であり、よって、ユーザが携帯式電子装置１を正確な位置に置くように明確に案内（誘導）できる。
【００２２】
図５に示すように、磁気吸着板２は電器用品４内に設けられても良い。磁気吸着板２を電器用品４のケースに内蔵したことで、ユーザは、携帯式電子装置１を使用終了後に電器用品４に直接に貼り付けることができる。
【００２３】
図６に示すように、携帯式電子装置１を吸着するために、磁気吸着板２は、接着部材２２(図示せず)を介して電器用品４のケースの表面に貼り付けてもよい。
【００２４】
図７及び図８に示すように、携帯式電子装置１は、第一発光素子１２及び第一発光素子１２に電気的に接続する第一電磁変換手段１３を設け、且つ磁気吸着板２は、第二発光素子２４及び第二発光素子２４に電気的に接続する第二電磁変換手段２５を設けても良い。
【００２５】
第一発光素子１２及び第二発光素子２４は、発光ダイオードであり、第二発光素子２４は、第二磁気吸着素子２１を囲んで磁気吸着板２の先端面に設けられる。
【００２６】
携帯式電子装置１の第一発光素子１２は、常に点灯状態になっており、携帯式電子装置１が磁気吸着板２に吸着されると、第一電磁変換手段１３は、磁力変化によって携帯式電子装置１の第一発光素子１２を滅灯させるとともに、第二電磁変換手段２５は第二発光素子２４を発光するように駆動する。逆に、携帯式電子装置１が磁気吸着板２から取り外されると、第一電磁変換手段１３は、第一発光素子１２を発光するように駆動し、第二電磁変換手段２５は、第二発光素子２４を滅灯させるように駆動する。このように、ユーザは、暗闇の中で携帯式電子装置１及び磁気吸着板２の位置を正確に識別できる。
【００２７】
図９に示すように、携帯式電子装置１は、さらに、その内部電池に接続する第一端子組１４を設置し、磁気吸着板２は第二端子組２６を有する。第二端子組２６は外部電源に接続され、該携帯式電子装置１の第一磁気吸着素子１１が第二磁気吸着素子２１に吸着されると、第一端子組１４は同時に第二端子組２６に接触することによって、携帯式電子装置１内の電池を充電する。
【００２８】
ここで、携帯式電子装置１は、リモコンや、無線電話及びデジタルカメラなどの装置であるので、ユーザが随時携帯でき且つ磁気吸着で固定される携帯式電子装置１及び磁気吸着板２であれば、いずれも本考案の等価変化と見なされる。
【００２９】
そのため、本考案は、以下の特徴及び効果を備える。
１、携帯式電子装置１の第一磁気吸着素子１１と磁気吸着板２の第二磁気吸着素子２１との間の磁気的吸引力によって、携帯式電子装置１を収納固定するための安定な場所をユーザに提供し、携帯式電子装置１が任意に置かれて落されたり衝撃を与えられたりすることなどが発生する場合を有効に避けられる。
２、携帯式電子装置１がユーザに使用されず置いたままの状態の時に、吸着手段で携帯式電子装置１を直接に磁気吸着板２に位置決めし、乱雑に置かれるような現象を発生することなく携帯式電子装置１を簡易に収納し、家電製品の使用視覚感及び日常生活品質を有効に向上できる。
【００３０】
以上のように、本考案は、実用新案の登録要件を満たすので、法に従って出願するが、ご査察の上、本考案のことを早期に登録されるよう、宜しくお願い申し上げたいことである。しかし、前記の説明は、単に本考案の好ましい具体的な実施例の詳細説明及び図面に過ぎず、本考案の実用新案登録請求の範囲を局限するものではなく、本考案の主張する範囲は、下記の実用新案登録請求の範囲に基づくべき、いずれの当該分野における通常の知識を有する専門家が本考案の分野の中で、適当に変更や修飾などを実施できるが、それらの実施が本考案の主張範囲内に含まれるべきことは言うまでもないことである。
【符号の説明】
【００３１】
１携帯式電子装置
１１第一磁気吸着素子
１２第一発光素子
１３第一電磁変換手段
１４第一端子組
２磁気吸着板
２１第二磁気吸着素子
２２接着部材
２３蛍光塗料
２４第二発光素子
２５第二電磁変換手段
２６第二端子組
３壁面
４電器用品
【図１】
0003150346.tif 000003
【図２】
0003150346.tif 000004
【図３】
0003150346.tif 000005
【図４】
0003150346.tif 000006
【図５】
0003150346.tif 000007
【図６】
0003150346.tif 000008
【図７】
0003150346.tif 000009
【図８】
0003150346.tif 000010
【図９】
0003150346.tif 000011